(57)【要約】【課題】使用者の負担を軽減するため、部品点数を減らし小型軽量化を図りつつ、最低限必要な前後調整と上下調整を無段階で行うことを可能とし、更に俯仰調整とフリップアップ動作も可能とし、各調整を固定するロック構造を備えるようにする。【解決手段】提供される微光暗視装置調整マウント２０は、微光暗視装置２１を保持するとともに微光暗視装置２１の位置の調整を行うための微光暗視装置調整マウント２０において、微光暗視装置２１に結合されるフレーム２２を含む複数のフレーム２２、２４、２６が回転軸２３、２５、２７を介して回動可能に連結されたリンク機構と、各々の回転軸２３、２５、２７に設けられ、回転軸２３、２５、２７における連結部分のフレームの回動をロックするロック機構とを備えている。【選択図】図２
2012151531.tif 000002
【特許請求の範囲】
【請求項１】
微光暗視装置を保持するとともに前記微光暗視装置の位置の調整を行うための微光暗視装置調整マウントにおいて、
前記微光暗視装置に結合されるフレームを含む複数のフレームが回転軸を介して回動可能に連結されたリンク機構と、
各々の前記回転軸に設けられ、前記回転軸における連結部分のフレームの回動をロックするロック機構と、
を備えていることを特徴とする微光暗視装置調整マウント。
【請求項２】
微光暗視装置を保持するとともに前記微光暗視装置の位置の調整を行うための微光暗視装置調整マウントにおいて、
前記微光暗視装置に結合されるフレームを含む複数のフレームが回転軸を介して回動可能に連結されたリンク機構と、
各々の前記回転軸に設けられ、前記回転軸における連結部分のフレームの回動を、前記回転軸の軸方向端部に形成されたネジ部に螺合される調整部材を介してロックするロック機構と、
を備えていることを特徴とする微光暗視装置調整マウント。
【請求項３】
前記微光暗視装置の位置の調整には、前記微光暗視装置の上下方向の位置を調整する上下調整、前記微光暗視装置の前後方向の位置を調整する前後調整、前記微光暗視装置の俯角方向と仰角方向の位置を調整する俯仰調整が含まれ、
前記上下調整、前記前後調整、前記俯仰調整は、前記リンク機構を介して無段階で行うことができる構成とされていることを特徴とする請求項１又は２記載の微光暗視装置調整マウント。
【請求項４】
前記ロック機構の前記調整部材を前記回転軸の前記ネジ部に対して緩めた場合は、前記回転軸における連結部分に隙間を有して該連結部分のフレームの回動を可能とするロック解除状態となり、
前記ロック機構の前記調整部材を前記回転軸の前記ネジ部に対して締め付けた場合は、前記回転軸における連結部分を隙間を解消して固定することで該連結部分のフレームの回動をロックするロック状態となることを特徴とする請求項２記載の微光暗視装置調整マウント。
【請求項５】
前記連結された複数のフレームのうち前記微光暗視装置に結合されるフレームに対して連結方向において反対側端部に位置するフレームが、使用者の頭部に装着されるヘルメット状装着物に固定されることを特徴とする請求項１乃至４のいずれか一に記載の微光暗視装置調整マウント。
【請求項６】
前記ヘルメット状装着物に固定されるフレームと該フレームに隣接するフレームとを連結する回転軸の周方向に形成された複数の溝部と、前記隣接するフレームに設けられ前記回転軸の前記複数の溝部に嵌合が可能な突起部とを備え、
前記微光暗視装置を把持して前記複数の溝部が形成された回転軸を中心として回動させる動作には、前記複数の溝部に対する前記突起部の嵌合と離脱の繰り返しにより前記微光暗視装置を使用者の目前から頭頂に回動させるフリップアップ動作が含まれることを特徴とする請求項１乃至５のいずれか一に記載の微光暗視装置調整マウント。
【発明の詳細な説明】
【技術分野】
【０００１】
この発明は、微光暗視装置を頭部に装着して使用する際の装着台になるとともに、微光暗視装置の位置調整を行う場合に用いて好適な微光暗視装置調整マウントに関する。
【背景技術】
【０００２】
この種の微光暗視装置調整マウントとしては、図９に示す構造のものがある。図９（ａ）、（ｂ）において、微光暗視装置調整マウント１は、装着された微光暗視装置２の前後方向の調整、上下方向の調整、左右方向の調整をそれぞれ行うための前後調整ツマミ３、上下調整ツマミ４、左右調整ツマミ５と、各調整ツマミに設けられた雄ネジと、各調整ツマミに連結された調整軸と、俯仰調整機構６を備えている。また、微光暗視装置側には、微光暗視装置調整マウント側の雄ネジに嵌合する雌ネジが設けられている。
【０００３】
微光暗視装置調整マウント１への微光暗視装置２の装着及び調整を行う際は、微光暗視装置調整マウント側の雄ネジと微光暗視装置側の雌ネジとを嵌合させ締結することで、微光暗視装置調整マウント１に微光暗視装置２を装着する。そして、各調整ツマミを介して各調整軸を回転させることにより、微光暗視装置２の前後調整、上下調整、左右調整を行う構造となっている。
【０００４】
ただし、上記の微光暗視装置調整マウント１には、各調整軸にロック機構は装備されていないが、微光暗視装置２を俯角方向あるいは仰角方向に回動させる、偏心カム機構を用いた俯仰調整機構６と、各調整機構が組み込まれた構造体の一端の回転軸を中心に大きく回転するフリップアップ機構とが装備されている。
【０００５】
微光暗視装置調整マウントの別の例としては図１０に示す構造のものがある。図１０（ａ）、（ｂ）において、微光暗視装置調整マウント１１は、微光暗視装置１２の前後方向の調整を行うための前後調整機構１３を装備しているが、微光暗視装置１２の上下方向の調整、左右方向の調整を行う機構は装備していない。前後調整機構１３により溝を有する軸に沿って微光暗視装置１２を前後方向に移動可能とし、微光暗視装置１２を軸の溝で段階的に停止させる構造となっている。また、微光暗視装置調整マウント１１には、偏心カム機構を用いた俯仰調整機構１４と、俯仰調整機構が組み込まれたアームが回転軸を中心に大きく回転するフリップアップ機構とが装備されている。
【０００６】
上記の微光暗視装置調整マウントに類似する関連技術文献としては、頭部に装着して使用する頭部搭載型表示装置が提案されている（例えば、特許文献１参照）。また、飛行士のヘルメットに暗視装置を取り付けるためのヘルメットマウントが提案されている（例えば、特許文献２参照）。また、使用者の眼の位置に光学系を調整することができる頭部装着型表示装置が提案されている（例えば、特許文献３参照）。また、使用者の目の前に光学機器を保持するとともに調整が可能な光学機器保持装置が提案されている（例えば、特許文献４参照）。
【先行技術文献】
【特許文献】
【０００７】
【特許文献１】特開２００７−０６４９９７号公報
【特許文献２】特開２００９−１２７１８７号公報
【特許文献３】特開２００７−３３６１６６号公報
【特許文献４】特開２００９−１８０９５４号公報
【特許文献５】実用新案登録第３０８４４００号
【発明の概要】
【発明が解決しようとする課題】
【０００８】
上述した関連技術において、微光暗視装置調整マウント側の雄ネジと微光暗視装置側の雌ネジを締結して微光暗視装置調整マウントに微光暗視装置を装着する構造のものは、各調整軸ごとに雄ネジと雌ネジを有する構造物を取り付ける必要がある。そのため、装置全体が大型化するとともに重量が増加する結果、使用者の負荷が増えるという問題がある。
また、微光暗視装置調整マウントを始めとして使用者の頭部に装着して使用する装置においては、装置の軽量化のために、装置に搭載する機能を減らす、あるいは、連続的な調整ではなく段階的な調整とすることが考えられる。しかし、使用者に対して最適な位置に装置を配置することが困難となるという問題がある。
【０００９】
この発明は、上述の事情に鑑みてなされたもので、使用者の負担を軽減するため、部品点数を減らし小型軽量化を図りつつ、最低限必要な前後調整と上下調整を無段階で行うことを可能とし、更に俯仰調整とフリップアップ動作も可能とし、各調整を固定するロック構造を備えた微光暗視装置調整マウントを提供することを目的としている。
【課題を解決するための手段】
【００１０】
上記課題を解決するために、この発明の第１の構成は、微光暗視装置を保持するとともに前記微光暗視装置の位置の調整を行うための微光暗視装置調整マウントにおいて、前記微光暗視装置に結合されるフレームを含む複数のフレームが回転軸を介して回動可能に連結されたリンク機構と、各々の前記回転軸に設けられ、前記回転軸における連結部分のフレームの回動をロックするロック機構と、を備えることを特徴としている。
【００１１】
この発明の第２の構成は、微光暗視装置を保持するとともに前記微光暗視装置の位置の調整を行うための微光暗視装置調整マウントにおいて、前記微光暗視装置に結合されるフレームを含む複数のフレームが回転軸を介して回動可能に連結されたリンク機構と、各々の前記回転軸に設けられ、前記回転軸における連結部分のフレームの回動を、前記回転軸の軸方向端部に形成されたネジ部に螺合される調整部材を介してロックするロック機構と、を備えることを特徴としている。
【発明の効果】
【００１２】
この発明の構成によれば、微光暗視装置調整マウントが、複数のフレームを回転軸を介して連結したリンク機構を有するため、回転軸と回転軸の間を連結するフレームの長さで形成される円弧内における、あらゆる位置と角度に微光暗視装置を設定することができる。このため、微光暗視装置調整マウントのリンク機構により、微光暗視装置の上下調整、前後調整、俯仰調整を無段階で行うことができる。
また、上記のようにリンク機構を複数の回転軸及び各回転軸間を連結するフレームから構成している。このため、関連技術としての、各調整軸ごとに雄ネジと雌ネジを有する構造の調整機構に比較すると、部品点数の削減と軽量化を図ることができる。
また、関連技術としての、調整軸ごとに装置の位置を調整する構造では、ロック構造が複雑になるためにロック構造を具備していないが、この発明では、リンク機構の各回転軸にロック構造を有する。このため、微光暗視装置調整マウントに対する微光暗視装置の確実な固定が可能となる。
【図面の簡単な説明】
【００１３】
【図１】この発明の一実施の形態である微光暗視装置調整マウントの構成を示す斜視図である。
【図２】微光暗視装置調整マウントの一部の部品を取り除いた状態を示す側面図である。
【図３】微光暗視装置調整マウントのロック構造を示す断面図であり、同図（ａ）は固定前の状態、同図（ｂ）は固定した状態である。
【図４】微光暗視装置調整マウントのフリップアップ構造を示す断面図であり、同図（ａ）は固定前の状態、同図（ｂ）は固定した状態である。
【図５】微光暗視装置調整マウントによる微光暗視装置の上下動作を示す動作説明図である。
【図６】微光暗視装置調整マウントによる微光暗視装置の前後動作を示す動作説明図である。
【図７】微光暗視装置調整マウントによる微光暗視装置の俯仰動作を示す動作説明図である。
【図８】微光暗視装置調整マウントによる微光暗視装置のフリップアップ動作を示す動作説明図である。
【図９】関連技術としての、微光暗視装置調整マウントに対する微光暗視装置の装着例を示す図であり、同図（ａ）は正面図、同図（ｂ）は右側面図である。
【図１０】関連技術としての、微光暗視装置調整マウントに対する微光暗視装置の装着例を示す図であり、同図（ａ）は正面図、同図（ｂ）は右側面図である。
【発明を実施するための形態】
【００１４】
この発明の微光暗視装置調整マウントを、微光暗視装置に結合されるフレームを含む複数のフレームが回転軸を介して回動可能に連結されたリンク機構と、各々の上記回転軸に設けられ、上記回転軸における連結部分のフレームの回動をロックするロック機構とから実現した。
【実施形態】
【００１５】
以下、図面を参照して、この発明の実施形態について説明する。
図１は、この発明の一実施の形態である微光暗視装置調整マウントの構成を示す斜視図、また、図２は、微光暗視装置調整マウントの一部の部品を取り除いた状態を示す側面図である。
微光暗視装置調整マウント２０は、微光暗視装置２１を保持するとともに鉄帽２８に装着されるものであり、第１のフレーム２２、第２のフレーム２４、第３のフレーム２６がそれぞれ第１の回転軸２３、第２の回転軸２５、第３の回転軸２７を介して連結されたリンク構造を有している。微光暗視装置２１には第１の嵌合穴２１ａが設けられている。一方、微光暗視装置調整マウント２０の第１のフレーム２２の一端部には第２の嵌合穴２２ａが設けられており、第１のフレーム２２のもう一端部には第３の嵌合穴２２ｂが設けられている。また、第２のフレーム２４の一端部には第４の嵌合穴２４ａが設けられており、第２のフレーム２４のもう一端部には第５の嵌合穴２４ｂが設けられている。また、第３のフレーム２６の一端部には第６の嵌合穴２６ａが設けられており、第３のフレーム２６のもう一端部には鉄帽２８に固定される取付部（図示略）が設けられている。
【００１６】
微光暗視装置２１の第１の嵌合穴２１ａと微光暗視装置調整マウント２０の第２の嵌合穴２２ａが、第１の回転軸２３により結合されることで、微光暗視装置２１は微光暗視装置調整マウント２０に保持される。また、第１のフレーム２２の第３の嵌合穴２２ｂと第２のフレーム２４の第４の嵌合穴２４ａが、第２の回転軸２５で結合されることで、第１のフレーム２２と第２のフレーム２４が連結されている。
また、第２のフレーム２４の第５の嵌合穴２４ｂと第３のフレーム２６の第６の嵌合穴２６ａが、第３の回転軸２７で結合されることで、第２のフレーム２４と第３のフレーム２６が連結されている。また、第３のフレーム２６のもう一端部の取付部が鉄帽２８に固定されることで、微光暗視装置調整マウント２０が鉄帽２８に装着される。
【００１７】
図３は微光暗視装置調整マウントのロック構造を示す断面図であり、同図（ａ）は固定前の状態、同図（ｂ）は固定した状態である。図３の例では回転軸を図２に示す第１の回転軸２３とした場合の構成を説明する。
図３（ａ）に示すように、微光暗視装置調整マウントの第１のフレーム２２、第１の回転軸２３と、微光暗視装置２１とが、軸方向において各々微細な隙間を有して嵌合している。第１の回転軸２３は、軸方向の一端部がフランジ部２３ａとして構成され、軸方向の他端部は雄ネジ部２３ｂとして構成されている。第１の回転軸２３の雄ネジ部２３ｂには、雄ネジ部２３ｂに螺合する雌ネジ部を有する第１のツマミ２９が取り付けられている。
図３（ａ）の状態で第１のツマミ２９を締め付けることにより、図３（ｂ）に示すように第１のフレーム２２が僅かに変形する。第１の回転軸２３のフランジ部２３ａと第１のツマミ２９により、第１のフレーム２２を介して微光暗視装置２１を挟みつけることにより、微光暗視装置２１と第１のフレーム２２が固定される。同様に、第１のフレーム２２と第２のフレーム２４も固定される。
【００１８】
図４は、微光暗視装置調整マウントのフリップアップ構造を示す断面図であり、同図（ａ）は固定前の状態、同図（ｂ）は固定した状態である。
図４（ａ）に示すように、微光暗視装置調整マウントの第２のフレーム２４、第３のフレーム２６、第３の回転軸２７が、軸方向において各々微細な隙間を有して嵌合している。第３の回転軸２７は、軸方向の一端部がフランジ部２７ａとして構成され、軸方向の他端部は雄ネジ部２７ｂとして構成されている。第３の回転軸２７の雄ネジ部２７ｂには、雄ネジ部２７ｂに螺合する雌ネジ部を有する第３のツマミ３１が取り付けられている。
更に、第３の回転軸２７は、周方向の複数の箇所に溝部２７ｃが形成されている。また、第２のフレーム２４には、スプリングにより可動する突起部３２が設けられている。第３の回転軸２７の溝部２７ｃに突起部３２が嵌まり込むことにより、第３の回転軸２７と第２のフレーム２４は同時に回転運動を行う。
【００１９】
図４（ａ）の状態で第３のツマミ３１を締め付けることにより、図４（ｂ）に示す状態となる。すなわち、第３のフレーム２６は、第３のツマミ３１の締め付け力では変形しない構造を有している。そのため、第３の回転軸２７と第３のフレーム２６は、第３のツマミ３１の締め付け力により固定されるが、第２のフレーム２４は、第３の回転軸２７の溝部２７ｃに対する突起部３２の嵌まり込み（引っ掛かり）により固定される。微光暗視装置２１を過大な力で回転させると、突起部３２が嵌まり込んでいる第３の回転軸２７の溝部２７ｃから外れ、次の溝部に嵌まり込む。これにより、フリップアップ動作を行うことができる構造となっている。
【００２０】
次に、図５を参照して、微光暗視装置調整マウントを用いた微光暗視装置の各種動作（上下動作、前後動作、俯仰動作、フリップアップ動作）について説明する。
図５は、微光暗視装置調整マウントによる微光暗視装置の上下動作を示す動作説明図である。
微光暗視装置調整マウントの第２の回転軸２５の雄ネジ部には、雄ネジ部に嵌合する雌ネジ部を有する第２のツマミ３０（図５では図示していない）が取り付けられている。第１の回転軸２３に取り付けられている上記第１のツマミ２９（図３）と、第２の回転軸２５に取り付けられている第２のツマミ３０と、第３の回転軸２７に取り付けられている上記第３のツマミ３１（図４）を緩めることにより、微光暗視装置２１、第１のフレーム２２、第２のフレーム２４が、自由に回転できる状態となる。
使用者は微光暗視装置２１を把持し、微光暗視装置２１を上下方向（図示の矢印方向）に動かすことにより、上下方向の位置を調整する位置調整を行う。微光暗視装置２１の位置が確定したら、第１のツマミ２９、第２のツマミ３０、第３のツマミ３１を各々締め付けることで、微光暗視装置調整マウントに微光暗視装置２１を固定する。
【００２１】
図６は、微光暗視装置調整マウントによる微光暗視装置の前後動作を示す動作説明図である。
微光暗視装置調整マウントの第１の回転軸２３に取り付けられている第１のツマミ２９と、第２の回転軸２５に取り付けられている第２のツマミ３０と、第３の回転軸２７に取り付けられている第３のツマミ３１を緩めることにより、微光暗視装置２１、第１のフレーム２２、第２のフレーム２４が、自由に回転できる状態となる。
使用者は微光暗視装置２１を把持し、微光暗視装置２１を前後方向（図示の矢印方向）に動かすことにより、前後方向の位置を調整する位置調整を行う。微光暗視装置２１の位置が確定したら、第１のツマミ２９、第２のツマミ３０、第３のツマミ３１を各々締め付けることで、微光暗視装置調整マウントに微光暗視装置２１を固定する。
【００２２】
図７は、微光暗視装置調整マウントによる微光暗視装置の俯仰動作を示す動作説明図である。
微光暗視装置調整マウントの第１の回転軸２３に取り付けられている第１のツマミ２９を緩めることにより、微光暗視装置２１が、自由に回転できる状態となる。
使用者が微光暗視装置２１を把持し、第１の回転軸２３を中心に回転させることにより（図示の矢印方向）、俯角方向あるいは仰角方向の位置を調整する俯仰調整を行う。微光暗視装置２１の位置が確定したら、第１のツマミ２９を締め付けることで、微光暗視装置調整マウントに微光暗視装置２１を固定する。
【００２３】
図８は、微光暗視装置調整マウントによる微光暗視装置のフリップアップ動作を示す動作説明図である。
使用者が微光暗視装置２１を把持し、第３の回転軸２７を中心に力強く回転させると（図示の矢印方向）、第３の回転軸２７の溝部に嵌まり込んでいる突起部３２（図４）が当該溝部から外れるため、微光暗視装置２１が回動する。また、突起部３２が、フリップアップの頂点に達したとき、第３の回転軸２７の次の溝部に嵌まり込むので、微光暗視装置２１は、自動ロックされて回動を停止する。
【００２４】
この実施形態によれば、微光暗視装置調整マウントが、複数のフレームを回転軸を介して連結したリンク機構（多関節構造）を有するため、回転軸（支点）と回転軸（支点）の間を連結するフレームの長さで形成される円弧内における、あらゆる位置と角度に微光暗視装置２１を設定することができる。このため、微光暗視装置調整マウントのリンク機構により、微光暗視装置の上下調整、前後調整、俯仰調整を無段階で行うことができる。
また、上記のように、微光暗視装置調整マウントのリンク機構を複数の回転軸及び各回転軸間を連結するフレームから構成している。このため、関連技術としての、各調整軸ごとに雄ネジと雌ネジを有する構造の調整機構に比較すると、部品点数の削減と軽量化を図ることができる。
また、関連技術としての、調整軸ごとに装置の位置を調整する構造では、ロック構造が複雑になるためにロック構造を具備していないが、微光暗視装置調整マウントのリンク機構では、回転軸を固定することによりフレームが動かなくなる。すなわち、リンク機構の各回転軸にロック構造を有する。このため、微光暗視装置調整マウントに対する微光暗視装置の確実な固定が可能となる。
【００２５】
以上、この発明の一実施形態を図面を参照して詳述してきたが、具体的な構成はこの実施形態に限られるものではなく、この発明の要旨を逸脱しない範囲の設計の変更などがあってもこの発明に含まれる。
【産業上の利用可能性】
【００２６】
この発明の微光暗視装置調整マウントは、微光暗視装置の装着及び調整への適用に限らず、微光暗視装置以外の例えば光学機器や表示装置の装着及び調整にも適用できる。
【符号の説明】
【００２７】
２０    微光暗視装置調整マウント
２１    微光暗視装置
２１ａ    第１の嵌合穴
２２    第１のフレーム（フレーム）
２２ａ    第２の嵌合穴
２２ｂ    第３の嵌合穴
２３    第１の回転軸（回転軸）
２３ｂ    雄ネジ部（ネジ部）
２４    第２のフレーム（フレーム）
２４ａ    第４の嵌合穴
２４ｂ    第５の嵌合穴
２５    第２の回転軸（回転軸）
２６    第３のフレーム（フレーム）
２６ａ    第６の嵌合穴
２７    第３の回転軸（回転軸）
２７ｂ    雄ネジ部（ネジ部）
２８    鉄帽（ヘルメット状装着物）
２９    第１のツマミ（調整部材）
３０    第２のツマミ（調整部材）
３１    第３のツマミ（調整部材）
３２    突起部
【図１】
2012151531.tif 000003
【図２】
2012151531.tif 000004
【図３】
2012151531.tif 000005
【図４】
2012151531.tif 000006
【図５】
2012151531.tif 000007
【図６】
2012151531.tif 000008
【図７】
2012151531.tif 000009
【図８】
2012151531.tif 000010
【図９】
2012151531.tif 000011
【図１０】
2012151531.tif 000012